(57)【要約】【課題】臭い成分が調湿体に付着することがあっても、そのような臭い成分を除去することが可能となる空調装置を提供する。【解決手段】一部を給気風路６に位置させ且つ他の一部を排気風路８に位置させるように配置される調湿体１０、及び、その調湿体１０における給気風路８に位置させる部分及び排気風路８に位置させる部分を回転に伴って変更させるように調湿体１０を駆動回転する駆動手段１１を備えた調湿ロータＬを備えたデシカント空調装置において、除臭用加熱手段４３を加熱作用状態にして、排気送風手段８を作動させ、且つ、設定時間が経過する間だけ調湿体１０の回転を停止させる処理と調湿体１０における排気風路８に位置させる部分のうちの一部が他の部分と入れ替わる形態で調湿体を設定角度だけ回転させる処理とを繰り返して実行するように前記駆動手段を作動させて、調湿体に吸収されている水分を排出用空気に放出させて除去する除臭運転を実行する。【選択図】図１
2008145017.tif 000002
【特許請求の範囲】
【請求項１】
空調対象空間に供給する供給用空気の給気風路に通風作用する給気送風手段と、
前記空調対象空間外に排出する排出用空気の排気風路に通風作用する排気送風手段と、
一部を前記給気風路に位置させ且つ他の一部を前記排気風路に位置させるように配置される調湿体、及び、その調湿体における前記給気風路に位置させる部分及び前記排気風路に位置させる部分を回転に伴って変更させるように前記調湿体を駆動回転する駆動手段を備えた調湿ロータと、
前記給気風路における前記調湿体よりも通風方向上手側箇所にて通流する空気に対して加熱作用する空調用加熱手段と、
運転を制御する運転制御手段とが備えられ、
前記運転制御手段が、
前記空調用加熱手段を加熱作用状態にして、前記給気送風手段及び前記排気送風手段を夫々作動させ、且つ、前記調湿体を連続的に駆動回転するように前記駆動手段を作動させて、前記供給用空気を前記調湿ロータにて調湿した状態で空調対象空間に供給する空調運転を実行するように構成されている空調装置であって、
前記排気風路における前記調湿体よりも通風方向上手側箇所にて通流する空気に対して加熱作用する除臭用加熱手段が設けられ、
前記運転制御手段が、
前記除臭用加熱手段を加熱作用状態にして、前記給気送風手段と前記排気送風手段とのうちの少なくとも前記排気送風手段を作動させ、且つ、乾燥用設定時間が経過する間だけ前記調湿体の回転を停止させる処理と前記調湿体における前記排気風路に位置させる部分のうちの一部が他の部分と入れ替わる形態で前記調湿体を設定角度だけ回転させる処理とを繰り返して実行するように前記駆動手段を作動させて、前記調湿体に吸収されている水分を前記排出用空気に放出させて除去する除臭運転を実行するように構成されている空調装置。
【請求項２】
空調対象空間に供給する供給用空気の給気風路に通風作用する給気送風手段と、
前記空調対象空間外に排出する排出用空気の排気風路に通風作用する排気送風手段と、
一部を前記給気風路に位置させ且つ他の一部を前記排気風路に位置させるように配置される調湿体、及び、その調湿体における前記給気風路に位置させる部分及び前記排気風路に位置させる部分を回転に伴って変更させるように前記調湿体を駆動回転する駆動手段を備えた調湿ロータと、
前記排気風路における前記調湿体よりも通風方向上手側箇所にて通流する空気に対して加熱作用する空調用加熱手段と、
運転を制御する運転制御手段とが備えられ、
前記運転制御手段が、
前記空調用加熱手段を加熱作用状態にして、前記給気送風手段及び前記排気送風手段を夫々作動させ、且つ、前記調湿体を連続的に駆動回転するように前記駆動手段を作動させて、前記供給用空気を前記調湿ロータにて調湿した状態で空調対象空間に供給する空調運転を実行するように構成されている空調装置であって、
前記運転制御手段が、
前記空調用加熱手段を加熱作用状態にして、前記給気送風手段と前記排気送風手段とのうちの少なくとも前記排気送風手段を作動させ、且つ、乾燥用設定時間が経過する間だけ前記調湿体の回転を停止させる処理と前記調湿体における前記排気風路に位置させる部分のうちの一部が他の部分と入れ替わる形態で前記調湿体を設定角度だけ回転させる処理とを繰り返して実行するように前記駆動手段を作動させて、前記調湿体に吸収されている水分を前記排出用空気に放出させて除去する除臭運転を実行するように構成されている空調装置。
【請求項３】
前記運転制御手段が、前記除臭運転において、前記空調運転を実行するときに比べて前記排気送風手段による通風量を少なくするように構成されている請求項１又は２記載の空調装置。
【請求項４】
前記運転制御手段が、前記除臭運転において、前記給気送風手段の通風作動を停止させるように構成されている請求項１〜３のいずれか１項に記載の空調装置。
【請求項５】
前記運転制御手段が、
前記空調運転の開始が指令されると、前記除臭運転を実行したのちに前記空調運転を実行するように構成され、且つ、前記空調運転の開始が指令されたときに、前回の前記除臭運転の実行を終了してから判別用設定時間以上経過していなければ、前記除臭運転を実行することなく、前記空調運転を実行するように構成されている請求項１〜４のいずれか１項に記載の空調装置。
【発明の詳細な説明】
【技術分野】
【０００１】
本発明は、調湿ロータの調湿作用を利用して、空調対象空間の空調を行えるようにした空調装置に関し、詳しくは、空調対象空間の加湿を行う加湿タイプの空調装置と、空調対象空間の除湿を行う除湿タイプの空調装置とがある。
【背景技術】
【０００２】
前記加湿タイプの空調装置は、次のような構成となっている。
すなわち、空調対象空間に供給する供給用空気の給気風路に通風作用する給気送風手段と、空調対象空間外に排出する排出用空気の排気風路に通風作用する排気送風手段と、一部を前記給気風路に位置させ且つ他の一部を前記排気風路に位置させるように配置される調湿体、及び、その調湿体における前記給気風路に位置させる部分及び前記排気風路に位置させる部分を回転に伴って変更させるように前記調湿体を駆動回転する駆動手段を備えた調湿ロータとを備えるとともに、給気風路における調湿体よりも通風方向上手側箇所にて通流する空気に加熱作用するように空調用加熱手段を設けて、その空調用加熱手段を加熱作用状態にして、前記給気送風手段及び前記排気送風手段を夫々作動させ、且つ、前記調湿体を連続的に駆動回転するように前記駆動手段を作動させて、前記供給用空気を前記調湿ロータにて調湿した状態で空調対象空間に供給すると共に、排気送風手段の通風作用により空調対象空間の空気を排出用空気として外部に排出するように構成してある。
【０００３】
そして、空調用加熱手段にて加熱された供給用空気が調湿体における給気風路に位置する部分を通過し、且つ、空調対象空間からの排出用空気が調湿体における排気風路に位置する部分を通過する形態で運転されることにより、空調対象空間からの排出用空気中の水蒸気が調湿体に吸収され、その調湿体に吸収された水分が供給用空気に放出されて供給用空気が加湿された状態で空調対象空間に供給されるので、空調対象空間を無給水にて加湿することが可能となる。従って、空調運転として加湿運転を行うことができる。
【０００４】
又、前記除湿タイプの空調装置は、次のような構成となっている。
すなわち、前記加湿タイプの空調装置にて説明したものと同様な、給気送風手段、排気送風手段、及び、調湿ロータを備えるとともに、前記排気風路における調湿体よりも通風方向上手側箇所にて通流する空気に加熱作用するように空調用加熱手段を設けて、その空調用加熱手段を加熱作用状態にして、前記給気送風手段及び前記排気送風手段を夫々作動させ、且つ、前記調湿体を連続的に駆動回転するように前記駆動手段を作動させて、前記供給用空気を前記調湿ロータにて調湿した状態で空調対象空間に供給するように構成してある。
【０００５】
そして、空調対象空間からの排出用空気がその空調用加熱手段にて加熱されたのち調湿体における排気風路に位置する部分を通過し、且つ、供給用空気が調湿体における給気風路に位置する部分を通過する形態で運転されることにより、供給用空気中の水蒸気が調湿体に吸収されて空調対象空間に供給されるので、空調対象空間を除湿することが可能となる。従って、空調運転として除湿運転を行うことができる（例えば、特許文献１参照。）。
【０００６】
尚、特許文献１には記載されていないが、このような空調装置では、除湿も加湿も行う必要がないときは、上記したような空調運転を行う代わりに、換気対象空間の空気を単に換気するための通常換気運転を行うこともある。つまり、空調用加熱手段の加熱作動を停止し、且つ、前記調湿ロータの駆動手段による調湿体の駆動回転を停止させた状態で、給気送風手段及び排気送風手段を作動させる運転である。
【０００７】
【特許文献１】特開２００３−４２５５号公報
【発明の開示】
【発明が解決しようとする課題】
【０００８】
ところで、住宅内の部屋を空調対象空間とする場合においては、トイレや浴室等、臭気が発生する可能性がある空間を含む場合があり、又、住宅内の空気に限らず外気を給気するような場合においても、その給気する外気の中にも臭気を含んでいるおそれがあるが、これらの臭気成分の中には、例えば、アンモニアやホルムアルデヒド等に代表されるような水溶性の臭い成分が含まれている可能性がある。
【０００９】
上記空調装置では、前記通常換気運転を行う場合や、前記空調用加熱手段、前記調湿ロータ、前記給気送風手段及び排気送風手段の全ての作動を停止させた運転停止状態等、前記調湿ロータの駆動手段による調湿体の駆動回転を停止させた状態において、上記したような臭い成分を含んだ空気が調湿体を通過するときに、その空気に含まれる臭い成分が調湿体に付着するおそれがある。
【００１０】
すなわち、上記したような調湿体の駆動回転を停止させた状態において、水溶性の臭い成分を含んだ空気が調湿体を通過すると、その空気に含まれる臭い成分が調湿体に付着したり、調湿体に吸収されている水分に溶解して臭い成分が調湿体に蓄積することがある。
【００１１】
そして、従来では、前記通常換気運転を行っている状態、あるいは、全ての装置の作動を停止して運転を停止している状態が長く続いた後において、前記除湿運転や前記加湿運転を開始させると、そのとき、臭い成分が調湿体に付着堆積している状態のまま運転を実行するので、調湿体に蓄積した臭い成分の一部が供給用空気に混入されて空調対象空間に戻るおそれがあり、空調対象空間を除湿や加湿を行うときの快適性が低下する不利がある。特に、調湿体に対する臭い成分の蓄積量が多くなっていると、供給用空気に混入されて空調対象空間に戻る臭い成分が多くなって、空調対象空間を快適に空調することができなくなるという問題があった。
【００１２】
ところで、上記したような除湿運転を実行する構成においては、空調対象空間からの排出用空気がその空調用加熱手段にて加熱されたのち調湿体における排気風路に位置する部分を通過して外部に排出されることになるので、調湿体に含まれる水分が蒸発するのでその水分に溶解している臭い成分の一部は除去されて外部に排出されるが、この除湿運転においては、調湿ロータが連続回転しながら除湿運転が行われるものであるから、調湿体における排気風路に位置する部分は連続的に給気経路に位置する部分と入れ替わる状態となるので、調湿体は臭い成分の充分な除去が行われないまま給気経路に位置する部分に向けて回転移動することになる。従って、空調対象空間に供給される臭い成分が残るので、空調対象空間を快適に空調することができないおそれがある。
【００１３】
本発明の目的は、臭い成分が調湿体に付着することがあっても、そのような臭い成分を除去することが可能となる空調装置を提供する点にある。
【課題を解決するための手段】
【００１４】
本発明に係る空調装置は、空調対象空間に供給する供給用空気の給気風路に通風作用する給気送風手段と、
前記空調対象空間外に排出する排出用空気の排気風路に通風作用する排気送風手段と、
一部を前記給気風路に位置させ且つ他の一部を前記排気風路に位置させるように配置される調湿体、及び、その調湿体における前記給気風路に位置させる部分及び前記排気風路に位置させる部分を回転に伴って変更させるように前記調湿体を駆動回転する駆動手段を備えた調湿ロータと、
前記給気風路における前記調湿体よりも通風方向上手側箇所にて通流する空気に対して加熱作用する空調用加熱手段と、
運転を制御する運転制御手段とが備えられ、
前記運転制御手段が、
前記空調用加熱手段を加熱作用状態にして、前記給気送風手段及び前記排気送風手段を夫々作動させ、且つ、前記調湿体を連続的に駆動回転するように前記駆動手段を作動させて、前記供給用空気を前記調湿ロータにて調湿した状態で空調対象空間に供給する空調運転を実行するように構成されているものであって、
その第１特徴構成は、前記排気風路における前記調湿体よりも通風方向上手側箇所にて通流する空気に対して加熱作用する除臭用加熱手段が設けられ、
前記運転制御手段が、
前記除臭用加熱手段を加熱作用状態にして、前記給気送風手段と前記排気送風手段とのうちの少なくとも前記排気送風手段を作動させ、且つ、乾燥用設定時間が経過する間だけ前記調湿体の回転を停止させる処理と前記調湿体における前記排気風路に位置させる部分のうちの一部が他の部分と入れ替わる形態で前記調湿体を設定角度だけ回転させる処理とを繰り返して実行するように前記駆動手段を作動させて、前記調湿体に吸収されている水分を前記排出用空気に放出させて除去する除臭運転を実行するように構成されている点にある。
【００１５】
第１特徴構成によれば、前記運転制御手段が前記除臭運転を実行すると、前記除臭用加熱手段を加熱作用状態にして、前記給気送風手段と前記排気送風手段とのうちの少なくとも前記排気送風手段を作動させることになるから、空調対象空間からの排出用空気が除臭用加熱手段にて加熱された状態で調湿体における排気風路に位置する部分を通過する形態で運転されて、調湿体に吸収されている水分がその調湿体を通過する排出用空気に放出される状態となるので、調湿体に吸収されている水分に溶解している臭い成分は、水分と共に排出用空気に放出される状態で除去され、調湿体に付着している臭い成分は、排出用空気に放出されたり排出用空気中の水蒸気に溶解する状態で除去される。
【００１６】
又、運転制御手段は、前記除臭運転において、乾燥用設定時間が経過する間だけ前記調湿体の回転を停止させる処理と前記調湿体における前記排気風路に位置させる部分のうちの一部が他の部分と入れ替わる形態で前記調湿体を設定角度だけ回転させる処理とを繰り返して実行するように前記駆動手段を作動させるので、駆動手段の駆動回転によって前記排気風路に位置することになる調湿体の全ての領域において、付着している臭い成分を確実に除去させることが可能となる。
【００１７】
説明を加えると、設定時間が経過する間だけ調湿体の回転を停止させるので、そのように調湿体の回転を停止させた状態で、前記除臭用加熱手段により加熱された空気が調湿体における排気風路に位置させる部分に供給されるので、その排気風路に位置させる部分においては、回転が停止した状態で空気が供給され続けるので、調湿体に含まれる水分が的確に蒸発して除去されることになる。それに伴って水分に溶解している臭い成分が的確に除去されるのである。
【００１８】
しかも、そのような調湿体の回転を停止させる処理と調湿体における排気風路に位置させる部分のうちの一部が他の部分と入れ替わる形態で調湿体を設定角度だけ回転させる処理とを繰り返して実行するので、調湿体の全ての領域を的確に水分及び臭い成分の除去を行うことができる。
【００１９】
説明を加えると、前記調湿ロータは、前記給気風路に位置させる部分及び前記排気風路に位置させる部分を回転に伴って変更させるものであるから、調湿体を回転自在に支持する支持枠における前記給気風路と前記排気風路とが仕切られる箇所には、風路を区分けするための仕切り体が設けられることになる。
【００２０】
そして、調湿体を設定角度だけ回転させるときに、排気風路に位置させる部分のうちの全部が他の部分と入れ替わる形態、例えば、前記給気風路と前記排気風路とが半分ずつ備えられるものにおいて調湿体を１８０°回転させる構成であれば、調湿体における前記仕切り体によって覆われている部分が、回転したのにおいても再度、仕切り体によって覆われる状態になって、臭い成分の除去を行えないおそれがある。
【００２１】
これに対して、上記したように、排気風路に位置させる部分のうちの一部が他の部分と入れ替わる形態で調湿体を回転させるようにしたから、調湿体を回転停止させた状態において前記仕切り体によって覆われている部分を、排気風路に位置させることができ、その仕切り体によって覆われている部分についても、的確に臭い成分の除去を行えるものとなる。
【００２２】
ちなみに、このような除臭運転は、例えば、運転時間が設定時間に達する毎に行うようにしたり、空調運転を開始する毎に行うようにする等、臭い成分を除去する必要があると考えられるタイミングで適宜実行することになる。
【００２３】
従って、第１特徴構成によれば、空調運転として加湿運転を行うことができるようにした空調装置において、臭い成分が調湿体に付着することがあっても、そのような臭い成分を除去することが可能となる空調装置を提供できるに至った。
【００２４】
本発明の第２特徴構成は、空調対象空間に供給する供給用空気の給気風路に通風作用する給気送風手段と、
前記空調対象空間外に排出する排出用空気の排気風路に通風作用する排気送風手段と、
一部を前記給気風路に位置させ且つ他の一部を前記排気風路に位置させるように配置される調湿体、及び、その調湿体における前記給気風路に位置させる部分及び前記排気風路に位置させる部分を回転に伴って変更させるように前記調湿体を駆動回転する駆動手段を備えた調湿ロータと、
前記排気風路における前記調湿体よりも通風方向上手側箇所にて通流する空気に対して加熱作用する空調用加熱手段と、
運転を制御する運転制御手段とが備えられ、
前記運転制御手段が、
前記空調用加熱手段を加熱作用状態にして、前記給気送風手段及び前記排気送風手段を夫々作動させ、且つ、前記調湿体を連続的に駆動回転するように前記駆動手段を作動させて、前記供給用空気を前記調湿ロータにて調湿した状態で空調対象空間に供給する空調運転を実行するように構成されている空調装置であって、
前記運転制御手段が、
前記空調用加熱手段を加熱作用状態にして、前記給気送風手段と前記排気送風手段とのうちの少なくとも前記排気送風手段を作動させ、且つ、乾燥用設定時間が経過する間だけ前記調湿体の回転を停止させる処理と前記調湿体における前記排気風路に位置させる部分のうちの一部が他の部分と入れ替わる形態で前記調湿体を設定角度だけ回転させる処理とを繰り返して実行するように前記駆動手段を作動させて、前記調湿体に吸収されている水分を前記排出用空気に放出させて除去する除臭運転を実行するように構成されている点にある。
【００２５】
第２特徴構成によれば、前記運転制御手段が前記除臭運転を実行すると、前記空調用加熱手段を加熱作用状態にして、前記給気送風手段と前記排気送風手段とのうちの少なくとも前記排気送風手段を作動させることになるから、空調対象空間からの排出用空気が空調用加熱手段にて加熱された状態で調湿体における排気風路に位置する部分を通過する形態で運転されて、調湿体に吸収されている水分がその調湿体を通過する排出用空気に放出される状態となるので、調湿体に吸収されている水分に溶解している臭い成分は、水分と共に排出用空気に放出される状態で除去され、調湿体に付着している臭い成分は、排出用空気に放出されたり排出用空気中の水蒸気に溶解する状態で除去される。
【００２６】
又、運転制御手段は、前記除臭運転において、乾燥用設定時間が経過する間だけ前記調湿体の回転を停止させる処理と前記調湿体における前記排気風路に位置させる部分のうちの一部が他の部分と入れ替わる形態で前記調湿体を設定角度だけ回転させる処理とを繰り返して実行するように前記駆動手段を作動させるので、駆動手段の駆動回転によって前記排気風路に位置することになる調湿体の全ての領域において、付着している臭い成分を確実に除去させることが可能となる。
【００２７】
説明を加えると、乾燥用設定時間が経過する間だけ調湿体の回転を停止させるので、そのように調湿体の回転を停止させた状態で、前記除臭用加熱手段により加熱された空気が調湿体における排気風路に位置させる部分に供給されるので、その排気風路に位置させる部分においては、回転が停止した状態で空気が供給され続けるので、調湿体に含まれる水分が的確に蒸発して除去されることになる。それに伴って水分に溶解している臭い成分が的確に除去されるのである。
【００２８】
しかも、そのような調湿体の回転を停止させる処理と調湿体における排気風路に位置させる部分のうちの一部が他の部分と入れ替わる形態で調湿体を設定角度だけ回転させる処理とを繰り返して実行するので、調湿体の全ての領域について的確に臭い成分を除去することができる。
【００２９】
説明を加えると、前記調湿ロータは、前記給気風路に位置させる部分及び前記排気風路に位置させる部分を回転に伴って変更させるものであるから、前記給気風路と前記排気風路とが仕切られる箇所には、風路を区分けするための仕切り体が設けられることになるので、例えば、調湿体を設定角度だけ回転させるときに、排気風路に位置させる部分のうちの全部が他の部分と入れ替わる形態、例えば、前記給気風路と前記排気風路とが半分ずつ備えられて排気風路に位置させる部分と他部分とが夫々半円状に形成されるものであれば、調湿体を１８０°回転させるようにすると、回転させたのちにも前記仕切り体によって覆われている箇所が再度、仕切り体によって覆われることになって、臭い成分の除去ができないおそれがある。しかし、上記したように、排気風路に位置させる部分のうちの一部が他の部分と入れ替わる形態で調湿体を回転させるようにしたから、前記仕切り体によって覆われている箇所についても、的確に臭い成分の除去を行えるものとなる。
【００３０】
ちなみに、このような除臭運転は、例えば、運転時間が予め設定された時間に達する毎に行うようにしたり、空調運転を開始する毎に行うようにする等、臭い成分を除去する必要があると考えられるタイミングで適宜実行することになる。
【００３１】
従って、第２特徴構成によれば、空調運転として除湿運転を行うことができるようにした空調装置において、臭い成分が調湿体に付着することがあっても、そのような臭い成分を除去することが可能となる空調装置を提供できるに至った。
【００３２】
本発明の第３特徴構成は、第１特徴構成又は第２特徴構成に加えて、前記運転制御手段が、前記除臭運転において、前記空調運転を実行するときに比べて前記排気送風手段による通風量を少なくするように構成されている点にある。
【００３３】
第３特徴構成によれば、前記除臭運転においては前記空調運転を実行するときに比べて前記排気送風手段による通風量を少なくするようにしたから、前記除臭用加熱手段あるいは前記空調用加熱手段にて加熱される空気の温度が低下するおそれが少なく、高い温度のまま調湿体に向けて通風されるので、水分を蒸発させて臭い成分を除去することをより的確に行い易いものになる。
【００３４】
従って、第３特徴構成によれば、調湿体に付着している臭い成分を除去することをより的確に行い易いものとなる。
【００３５】
本発明の第４特徴構成は、第１特徴構成〜第３特徴構成のいずれかに加えて、前記運転制御手段が、前記除臭運転において、前記給気送風手段の通風作動を停止させるように構成されている点にある。
【００３６】
第４特徴構成によれば、前記除臭運転において前記給気送風手段の通風作動を停止させるようにしたから、前記除臭運転を実行することによって蒸発した臭い成分を含む水分が、誤って給気風路に入り込み空調対象空間に向けて供給されることがない。
【００３７】
従って、第４特徴構成によれば、除臭運転の実行中に空調対象空間の快適性を損なうことのない状態で、調湿体に付着している臭い成分を除去することが可能となる。
【００３８】
本発明の第５特徴構成は、第１特徴構成〜第４特徴構成のいずれかに加えて、前記運転制御手段が、前記空調運転の開始が指令されると、前記除臭運転を実行したのちに前記空調運転を実行するように構成され、且つ、前記空調運転の開始が指令されたときに、前回の前記除臭運転の実行を終了してから判別用設定時間以上経過していなければ、前記除臭運転を実行することなく、前記空調運転を実行するように構成されている点にある。
【００３９】
第５特徴構成によれば、前記空調運転の開始が指令されると、空調運転に先立って除臭運転を実行するので、臭い成分が調湿体に付着することがあっても、そのような臭い成分が除臭運転にて調湿体から除去された後に空調運転が実行されることになり、空調運転を実行するときに、空調対象空間に供給される供給用空気に臭い成分が混入することが抑制される。
【００４０】
又、前記空調運転の開始が指令されたときに、前回の前記除臭運転の実行を終了してから前記判別用設定時間以上経過していなければ、前記除臭運転を実行することなく、前記空調運転を実行するようにしたから、空調の快適性を損なうおそれが少ない状態では、開始指令に伴って時間遅れのない状態ですぐに空調運転を開始することができる。
【００４１】
説明を加えると、前回の前記除臭運転の実行を終了してから前記判別用設定時間以上経過していない状態であれば、調湿体に対する臭い成分の蓄積量は少ない状態であり、空調運転を実行するときに空調対象空間に供給される供給用空気には混入される臭い成分は少なく空調の快適性を損なうおそれは少ないと考えられる。そこで、前記空調運転の開始が指令されたときに、前回の前記除臭運転の実行を終了してから前記判別用設定時間以上経過していなければ、前記除臭運転を実行することなく前記空調運転を実行する構成とすることで、臭い成分の混入による空調の快適性を損なうことなく空調運転をすぐに開始することができるのである。
【００４２】
従って、第５特徴構成によれば、臭い成分が調湿体に付着することがあっても、そのような臭い成分を除去することが可能となるものでありながら、臭い成分の混入による空調の快適性を損なうおそれが少ないときは空調運転をすぐに開始することができ、使い勝手のよい空調装置を提供できるに至った。
【発明を実施するための最良の形態】
【００４３】
〔第１実施形態〕
以下、本発明に係る空調装置の第１実施形態を説明する。
図１に示すように、前記空調装置としてのデシカント空調装置は、外気ＯＡを装置内に吸い込むための外気吸込口１、その装置内に吸い込んだ外気ＯＡを供給用空気ＳＡとして空調対象空間としての複数の空調対象室に供給するための給気送出口２、住宅内の空気（以下、内気と称する）ＲＡを装置内に吸い込むための内気吸込口３及びその装置内に吸い込んだ内気ＲＡを排出用空気ＥＡとして屋外に排出するための排気送出口４を備えたケーシング５を用いて組み付けて構成してあり、図示は省略するが、住宅の天井裏等に配置する。
【００４４】
図示は省略するが、外気ＯＡを導入する外気導入ダクトを前記外気吸込口１に接続し、各空調対象室の給気口に接続した給気ダクトを前記給気送出口２に接続し、住宅内の排気口に接続した排気ダクトを前記内気吸込口３に接続し、内気ＲＡを屋外に排出する排気ダクトを前記排気送出口４に接続する。
そして、前記外気導入ダクトを通じて導入した外気ＯＡを空調して供給用空気ＳＡとして前記給気ダクトを通じて各空調対象室に供給する共に、前記排気ダクトを通じて住宅内から吸込んだ内気ＲＡを排出用空気ＥＡとして前記排気導出ダクトを通じて屋外に排出するように構成してある。
【００４５】
この空調装置は加湿タイプであり、図１に示すように、空調対象室に供給する供給用空気ＳＡの給気風路６に通風作用する給気送風手段としての給気送風機７と、空調対象室外に排出する排出用空気ＥＡの排気風路８に通風作用する排気送風手段としての排気送風機９と、一部を前記給気風路６に位置させ且つ他の一部を前記排気風路８に位置させるように配置される調湿体１０及びその調湿体１０における前記給気風路６に位置させる部分及び前記排気風路８に位置させる部分を回転に伴って変更させるように前記調湿体１０を駆動回転する駆動手段としての電動モータ１１を備えた調湿ロータＬと、前記給気風路６における前記調湿体１０よりも通風方向上手側箇所を通流する空気と前記排気風路８における前記調湿体１０よりも通風方向下手側箇所を通流する空気とを熱交換させる顕熱交換器２５と、前記給気風路６における前記顕熱交換器２５と前記調湿体１０との間の箇所を通流する空気に対して加熱作用する加熱手段としての加湿用加熱器４０と、この空調装置の運転を制御する運転制御手段としての運転制御部１３と、その運転制御部１３に各種制御情報を指令する遠隔操作式の操作部１４等を備えて構成してある。
【００４６】
そして、この実施形態では、前記排気風路８における前記調湿体１０よりも通風方向上手側箇所を通流する空気を加熱する除臭用加熱手段としての除臭用加熱器４３を備えている。
【００４７】
以下、空調装置の各部について説明を加える。
図１ないし図３に示すように、前記ケーシング５は、薄型状の直方体形状に形成し、その厚さ方向視における４つの側壁のうちの一側壁に、第１吸込口５ａ及び第２送出口５ｄを並べて設け、それら第１吸込口５ａ及び第２送出口５ｄを設けた側壁に対向する側壁に、第２吸込口５ｃ及び第１送出口５ｂを第２吸込口５ｃが前記第１吸込口５ａと同じ側に位置する状態で並べて設けてある。
【００４８】
そして、調湿ロータＬ及び顕熱交換器２５を、前記ケーシング５内における前記風路形成部１６内に並べて設け、更に、前記風路形成部１６内における調湿ロータＬよりも第１吸込口５ａの側の部分を、風路仕切り壁２６により、第１吸込室２７と第２送出室２８とに仕切り、前記風路形成部１６内における調湿ロータＬよりも第２吸込口５ｃの側の部分を、顕熱交換器２５により、第１接続室２９、第１送出室３０、第２吸込室３１及び第２接続室３２の４室に仕切ってある。
【００４９】
図１、図２及び図４に基づいて、前記調湿ロータＬについて説明を加える。
前記調湿体１０は、円盤状でその軸心方向に通気自在なハニカム状の基材に吸湿材（シリカゲルや塩化リチウム等）を保持して構成し、その外周部に全周にわたってギア部２１を設けてある。
前記調湿ロータＬは、前記調湿体１０をその軸心にて回転自在に矩形枠状の支持枠２２に支持すると共に、その支持枠２２に、前記電動モータ１１をその出力軸に設けたギア２３を前記調湿体１０の外周部のギア部２１に噛み合わせた状態で設けて、ユニット状に構成してある。
そして、電動モータ１１を作動させることにより、調湿体１０を軸芯周りに駆動回転するように構成してある。
【００５０】
前記支持枠２２における前記調湿体１０の軸心方向に並ぶ両側部の夫々には、一対の概ね半円状の開口２２ｗを、前記軸心方向視において一方の側部の開口２２ｗと他方の側部の開口２２ｗとが重なる状態で形成してある。又、一方の側部に形成される一対の開口２２ｗ，２２ｗの間には、調湿体１０の回転用支軸２２ａを支持するとともに、給気風路６と排気風路８とを区分けするための仕切り体としての縦桟部２２ｂを形成してある。
その支持枠２２の各開口２２ｗには、シール材２４をその先端が前記調湿体１０に当接する状態で各開口２２ｗの全周にわたって嵌め込んで設けてある。
【００５１】
図１に示すように、前記顕熱交換器２５は、第１熱交換流路（図示省略）及び第２熱交換流路（図示省略）を直交する状態で且つ夫々の熱交換流路を通流する流体同士で熱交換される状態で備えた静止型の顕熱交換器にて構成され、この顕熱交換器２５が、前記給気風路６を通流する空気と前記排気風路８を通流する空気とを熱交換させる顕熱交換部Ｓを構成する。
説明を加えると、この顕熱交換器２５は、厚さ方向視の形状が略正方形状の直方体又は立方体状であり、図示は省略するが、厚さ方向に複数の第１熱交換流路及び複数の第２熱交換流路が隔壁を隔てて交互に並ぶ形態でアルミニウム等の熱伝導率の高い材料にて形成してある。
【００５２】
そして、この顕熱交換器２５における厚さ方向視での４つの側面のうちの１つの側面２５ａには、前記複数の第１熱交換流路の入口側開口部が形成され、その側面２５ａとは反対側の側面２５ｂには、前記複数の第１熱交換流路の出口側開口部が形成され、残りの２つの側面のうちの１つの側面２５ｃには、前記複数の第２熱交換流路の入口側開口部が形成され、その側面２５ｃとは反対側の側面２５ｄには、前記複数の第２熱交換流路の出口側開口部が形成されている。
【００５３】
図１に示すように、前記調湿ロータＬ及び前記顕熱交換器２５を、前記ケーシング５内における前記風路形成部１６内に、調湿ロータＬを第１吸込口５ａの側に位置させる状態で第１吸込口５ａ及び第２吸込口５ｃの並び方向に並べて設けてある。
調湿ロータＬは、一対の開口２２ｗが前記ケーシング５の横幅方向に並ぶ姿勢で、前記ケーシング５内における前記風路形成部１６内を第１吸込口５ａの側の部分と第２吸込口５ｃの側の部分とに仕切る状態で設け、更に、その風路形成部１６内における調湿ロータＬよりも第１吸込口５ａの側の部分を、風路仕切り壁２６により、調湿ロータＬの一対の開口２２ｗのうちの一方と前記第１吸込口５ａが臨む第１吸込室２７と、調湿ロータＬの一対の開口２２ｗのうちの他方が臨む第２送出室２８とに仕切ってある。
【００５４】
前記顕熱交換器２５を、前記複数の第１熱交換流路の入口側開口部が形成された側面２５ａを前記中間隔壁１５の側とは反対側に向けた姿勢で、その側面２５ａと前記複数の第２熱交換流路の出口側開口部が形成された側面２５ｄとにより形成される角部２５ｅを調湿ロータＬ側に向けてその調湿ロータＬに近接させた状態で設けて、前記風路形成部１６内における調湿ロータＬよりも前記第１吸込口５ｃの側の部分を、前記複数の第１熱交換流路の入口側開口部が形成された側面２５ａと前記調湿ロータＬの一対の開口２２ｗのうちの一方とが臨む第１接続室２９、前記複数の第１熱交換流路の出口側開口部が形成された側面２５ｂが臨む第１送出室３０、前記複数の第２熱交換流路の入口側開口部が形成された側面２５ｃ及び前記第２吸込口５ｃが臨む第２吸込室３１、及び、前記複数の第２熱交換流路の出口側開口部が形成された側面２５ｄと前記調湿ロータＬの一対の開口２２ｗのうちの他方とが臨む第２接続室３２の４室に仕切ってある。
尚、調湿ロータＬにおける一対の開口部２２ｗの境界部分と顕熱交換器２５の前記角部２５ｅとわたって風路仕切り壁３３を設けて、その風路仕切り壁３３にて前記第１接続室２９と前記第２接続室３２とを仕切ってある。
【００５５】
前記顕熱交換器２５の配置形態について説明を加えると、この顕熱交換器２５は、その複数の第２熱交換器の出口側開口部が形成された側面２５ｄが、前記調湿体１０の軸芯方向の端面と４５°よりも小さい角度（例えば、２５°）で対向する状態に設けてある。
【００５６】
図１及び図３に示すように、前記中間隔壁１５には、前記第１送出室３０と前記第１送風機室１９とを連通する第１連通開口３４、及び、前記第２送出室２８と前記第２送風機室２０とを連通する第２連通開口３５を形成してある。
【００５７】
図１に示すように、前記第１吸込口５ａ、前記第２吸込口５ｃには、夫々、通過する空気から除塵する第１フィルタ３８、第２フィルタ３９を設けてある。
【００５８】
前記加湿用加熱器４０は、熱媒を通流させる熱媒流通管（図示省略）を空気の通過が可能なように蛇行状に配管した熱媒循環式に構成し、図５に示すように、その加湿用加熱器４０を、前記第２接続室３２内に、前記顕熱交換器２５における前記複数の第２熱交換流路の出口が形成された側面２５ｄに近接させた状態で設けてある。そして、その加湿用加熱器４０と熱源機（図示省略）とを熱媒循環路４１にて接続して、その熱源機にて加熱した熱媒を熱媒循環路４１を通じて加湿用加熱器４０に循環供給するように構成してある。つまり、前記熱媒循環路４１に加湿用熱動弁４２を設けて、その加湿用熱動弁４２を開閉して前記加湿用加熱器４０への熱媒の供給を断続することにより、前記加湿用加熱器４０を加熱作用状態と加熱停止状態とに切り換え自在に構成してある。
【００５９】
前記除臭用加熱器４３は、前記加湿用加熱器４０と同じ構成であり加熱容量も同じものが用いられる。つまり、熱媒を通流させる熱媒流通管（図示省略）を空気の通過が可能なように蛇行状に配管した熱媒循環式に構成してあり、その除臭用加熱器４３と熱源機（図示省略）とを熱媒循環路４４にて接続して、その熱源機にて加熱した熱媒を熱媒循環路４４を通じて除臭用加熱器４３に循環供給するように構成してある。つまり、前記熱媒循環路４４に除臭用熱動弁４５を設けて、除臭用加熱器４３への熱媒の供給を断続することにより、除臭用加熱器４３を加熱作用状態と加熱停止状態とに切り換え自在に構成してある。
【００６０】
この第１実施形態においては、前記第１吸込口５ａを前記内気吸込口３として、前記第１送出口５ｂを前記排気送出口４として夫々用い、前記排気送風機９を前記第１連通開口３４に吸引作用するように前記第１送風機室１９内に設けて、前記排気風路８を、前記第１吸込室２７、前記第１接続室２９及び前記第１送出室３０とを備えて構成してある。
【００６１】
そして、前記排気送風機９を作動させることにより、前記内気吸込口３から吸い込んだ内気ＲＡを、第１吸込室２７、調湿体１０、第１接続室２９、顕熱交換器２５の第１熱交換流路、第１送出室３０、第１連通開口３４を順次通過させる形態で、排気風路８を通して通流させて、排気送出口４から排出用空気ＥＡとして送出するように構成してある。
【００６２】
又、前記第２吸込口５ｃを前記外気吸込口１として、前記第２送出口５ｄを前記給気送出口２として夫々用い、前記給気送風機７を前記第２連通開口３５に吸引作用するように前記第２送風機室２０内に設けて、前記給気風路６を、前記第２吸込室３１、前記第２接続室３２及び前記第２送出室２８とを備えて構成してある。
そして、前記給気送風機７を作動させることにより、前記外気吸込口１から吸い込んだ外気ＯＡを、第２吸込室３１、顕熱交換器２５の第２熱交換流路、第２接続室３２、調湿体１０、第２送出室２８、第２連通開口３５を順次通過させる形態で、給気風路６を通して通流させて、給気送出口２から供給用空気ＳＡとして送出するように構成してある。
【００６３】
前記運転制御部１３は、運転モードとして、前記給気送風機７及び前記排気送風機９を作動させ、前記調湿体１０を調湿用設定速度で回転駆動し、前記除臭用加熱器４３を加熱停止状態にし、前記加湿用加熱器４０を加熱作用状態にする空調運転としての加湿運転を実行する加湿モード、前記給気送風機７及び前記排気送風機９を作動させ、前記調湿体１０を停止させ、前記加湿用加熱器４０及び前記除臭用加熱器４３を加熱停止状態にする通常換気運転を実行する通常換気モード、及び、前記給気送風機７及び前記排気送風機９を作動停止させ、前記調湿体１０を停止させ、前記加湿用加熱器４０及び前記除臭用加熱器４３を加熱停止状態にする、すなわち運転停止状態となる運転停止モードを備えるように構成してある。
前記操作部１４には、図示を省略するが、上述のようにこの空調装置に備えさせてある加湿モード、通常換気モード、運転停止モードを択一的に選択して実行させる運転モード選択スイッチを設けてある。
【００６４】
そして、前記運転制御部１３は、前記除臭用加熱器４３を加熱作用状態にして、前記給気送風機７の通風作動を停止させて前記排気送風機９を作動させ、且つ、乾燥用設定時間が経過する間だけ調湿体１０の回転を停止させる処理と調湿体１０における排気風路に位置させる部分のうちの一部が他の部分と入れ替わる形態で調湿体１０を設定角度だけ回転させる処理とを繰り返して実行するように電動モータ１１を作動させて、調湿体１０に吸収されている水分を前記排出用空気に放出させて除去する除臭運転を実行する構成となっている。又、前記運転制御部１３は、前記除臭運転において、前記加湿運転を実行するときに比べて排気送風機９による通風量を少なくするように構成してある。
【００６５】
前記運転制御部１３は、空調運転としての加湿運転の開始が指令されると、前記除臭運転を実行したのちに前記加湿運転を実行する構成となっており、且つ、前記加湿運転の開始が指令されたときに、前回の前記除臭運転の実行を終了してから判別用設定時間以上経過していなければ、前記除臭運転を実行することなく、前記加湿運転を実行する構成となっている。
【００６６】
次に、前記運転制御部１３の制御動作について説明する。
前記運転制御部１３は、図５に示すように、前記操作部１４からの指令情報に基づいて、運転モード選択スイッチにて運転停止モードが指令されると前記運転停止状態にする（ステップ１，２）。すなわち、前記給気送風機７及び前記排気送風機９を作動停止させ、前記調湿体１０を停止させ、前記加湿用加熱器４０及び前記除臭用加熱器４３を加熱停止状態にする。
【００６７】
運転モード選択スイッチにて通常換気モードが指令されると、前記通常換気運転を実行する（ステップ３，４）。
この通常換気運転においては、前記給気送風機７及び前記排気送風機９を作動させ、前記調湿体１０を停止させ、前記加湿用加熱器４０及び前記除臭用加熱器４３を加熱停止状態にする。この通常換気運転では、図１を参照すると、内気吸込口３から排気風路８に吸い込まれた内気ＲＡは、回転停止状態の調湿体１０、顕熱交換器２５の第１熱交換流路を順次通過して通流して、排気送出口４から排気ダクトを通じて排出用空気ＥＡとして屋外に排出され、一方、給気吸込口１から給気風路６に吸い込まれた外気ＯＡは、顕熱交換器２５の第２熱交換流路、加熱停止状態の加湿用加熱器４０、回転停止状態の調湿体１０を順次通過して、給気送出口２から給気ダクトを通じて供給用空気ＳＡとして空調対象室に供給されることになり、空調対象室が換気される。
【００６８】
前記運転モード選択スイッチにて前記加湿モードが指令されると、前記運転停止モード又は前記通常換気モードから加湿モードに切り換わった直後であって、且つ、前回の除臭運転の実行を終了してから判別用設定時間以上経過していることが判別されると、前記除臭運転を実行した後に前記加湿運転を実行し、前回の除臭運転の実行を終了してから判別用設定時間以上経過していなければ、除臭運転を実行せずに加湿運転を実行する（ステップ５〜９）。
【００６９】
前記加湿運転においては、前記給気送風機７及び前記排気送風機９を作動させ、前記調湿体１０を調湿用設定速度で回転駆動し、前記除臭用加熱器４３を加熱停止状態にし、前記加湿用加熱器４０を加熱作用状態にする。図１を参照して説明を加えると、内気吸込口３から排気風路８に吸い込まれた内気ＲＡは、前記調湿用設定速度にて回転する調湿体１０、顕熱交換器２５の第１熱交換流路を順次通過して通流して、排気送出口４から排気ダクトを通じて排出用空気ＥＡとして屋外に排出され、一方、給気吸込口１から前記給気風路６に吸い込まれた外気ＯＡは、顕熱交換器２５の第２熱交換流路、加熱作用状態の加湿用加熱器４０、前記調湿用設定速度にて回転する調湿体１０を順次通過して通流して、給気送出口２から給気ダクトを通じて空調対象室に供給される。
【００７０】
そして、内気ＲＡは、調湿体１０を通過するときに、その内気ＲＡ中の水蒸気が調湿体１０に吸収されて内気ＲＡが除湿されると共に凝縮熱により加熱され、その除湿並びに加熱された内気ＲＡが顕熱交換器２５を通過するときに外気ＯＡとの熱交換により冷却された後、排出用空気ＥＡとして屋外に排出され、一方、外気ＯＡは、顕熱交換器２５を通過するときに内気ＲＡとの熱交換により加熱され、更に、前記加湿用加熱器４０を通過することで加熱され、そのように加熱された外気ＯＡが調湿体１０を通過するときに調湿体１０から放湿されて加湿され、そのように加湿並びに加熱された外気ＯＡが供給用空気ＳＡとして空調対象室に供給されるので、空調対象室が換気されながら加湿される。
【００７１】
次に、前記除臭運転について説明する。
図６に示すように、この除臭運転においては、給気送風機７の作動を停止し、前記加湿用加熱器４０を加熱停止状態にして、電動モータ１１を停止させて調湿体１０の回転を停止させる（ステップ１０，１１）。そして、除臭用熱動弁４５を開弁して除臭用加熱器４３を加熱作用状態にして、排気送風機９を通風作動させる（ステップ１２，１３）。このとき、排気送風機９の通風量としては、前記空調運転としての加湿運転を実行するときに比べて少ない少風量になるように設定している。
【００７２】
そして、その後、乾燥用設定時間（例えば数分間）が経過すると、調湿体１０における排気風路に位置させる部分のうちの一部が他の部分と入れ替わるように調湿体１０を設定角度としての１／３回転（約１２０°）だけ回転させて停止させる（ステップ１４，１５）（図７（イ）（ロ）参照）。そのように回転を停止させた状態で前記乾燥用設定時間が経過すると、再度、調湿体１０を設定角度としての１／３回転（約１２０°）だけ回転させて停止させる（ステップ１６，１７）（図７（ハ）参照）。さらに、そのように回転を停止させた状態で前記乾燥用設定時間が経過すると除臭運転を終了する（ステップ１８）。
【００７３】
このようにして除臭運転を実行することで、調湿体１０における仕切り体としての縦桟部２２ｂにて覆われている箇所も含めて調湿体１０の全領域にわたって，水分を蒸発させて充分に乾燥させることにより、水分に溶解している臭い成分を排気用空気に放出して外部に排出させることができる。
【００７４】
〔第２実施形態〕
この第２実施形態の空調装置は、除湿タイプであり、上記の第１実施形態と同様に、外気吸込口１、給気送出口２、内気吸込口３及び排気送出口４を備えたケーシング５を用いて組み付けて構成してあり、住宅の天井裏等に配置する。
そして、第１実施形態と同様に、外気ＯＡを導入する外気導入ダクトを前記外気吸込口１に接続し、各空調対象室の給気口に接続した給気ダクトを前記給気送出口２に接続し、住宅内の排気口に接続した排気ダクトを前記内気吸込口３に接続し、内気ＲＡを屋外に排出する排気ダクトを前記排気送出口４に接続して、前記外気導入ダクトを通じて導入した外気ＯＡを空調して供給用空気ＳＡとして前記給気ダクトを通じて各空調対象室に供給する共に、前記排気ダクトを通じて住宅内から吸込んだ内気ＲＡを排出用空気ＥＡとして前記排気導出ダクトを通じて屋外に排出するように構成してある。
【００７５】
この第２実施形態の空調装置は、図８に示すように、空調対象室に供給する供給用空気ＳＡの給気風路６に通風作用する給気送風手段としての給気送風機７と、空調対象室外に排出する排出用空気ＥＡの排気風路８に通風作用する排気送風手段としての排気送風機９と、一部を前記給気風路６に位置させ且つ他の一部を前記排気風路８に位置させるように配置される調湿体としての調湿体１０及びその調湿体１０における前記給気風路６に位置させる部分及び前記排気風路８に位置させる部分を回転に伴って変更させるように前記調湿体１０を駆動回転する駆動手段としての電動モータ１１を備えた調湿ロータＬと、前記給気風路６における前記調湿体１０よりも通風方向下手側箇所を通流する空気と前記排気風路８における前記調湿体１０よりも通風方向上手側箇所を通流する空気とを熱交換させる顕熱交換器２５と、前記排気風路８における顕熱交換器２５と前記調湿体１０との間の箇所を通流する空気に対して加熱作用する空調用加熱手段としての除湿用加熱器１２と、この空調装置の運転を制御する運転制御手段としての運転制御部１３と、その運転制御部１３に各種制御情報を指令する遠隔操作式の操作部１４等を備えて構成してある。
【００７６】
以下、空調装置の各部について説明を加える。
第１実施形態と同様に、前記ケーシング５は、薄型状の直方体形状に形成し、その厚さ方向視における４つの側壁のうちの一側壁に、第１吸込口５ａ及び第２送出口５ｄを並べて設け、それら第１吸込口５ａ及び第２送出口５ｄを設けた側壁に対向する側壁に、第２吸込口５ｃ及び第１送出口５ｂを第２吸込口５ｃが前記第１吸込口５ａと同じ側に位置する状態で並べて設けてある。
【００７７】
そして、前記ケーシング５の内部を、中間隔壁１５にて、前記第１吸込口５ａ及び前記第２吸込口５ｃの側の風路形成部１６と、前記第２送出口５ｄ及び前記第１送出口５ｂの側の送風機室形成部１７とに仕切り、更に、その送風機室形成部１７を、送風機室隔壁１８にて、前記第１送出口５ｂの側の第１送風機室１９と前記第２送出口５ｄの側の第２送風機室２０とに仕切ってある。
【００７８】
前記顕熱交換器２５の配置形態について説明を加えると、この第２実施形態においても、上記の第１実施形態と同様に、前記顕熱交換器２５は、その複数の第２熱交換器の出口側開口部が形成された側面２５ｄが、前記調湿体１０の軸芯方向の端面と４５°よりも小さい角度（例えば、２５°）で対向する状態に設けてある。
【００７９】
前記除湿用加熱器１２は、熱媒を通流させる熱媒流通管（図示省略）を空気の通過が可能なように蛇行状に配管した熱媒循環式に構成し、その除湿用加熱器１２を、前記第２接続室３２内に、前記顕熱交換器２５における前記複数の第２熱交換流路の出口が形成された側面２５ｄに近接させた状態で設けてある。
その除湿用加熱器１２と熱源機（図示省略）とを熱媒循環路３６にて接続して、その熱源機にて加熱した熱媒を熱媒循環路３６を通じて除湿用加熱器１２に循環供給するように構成してある。そして、前記熱媒循環路３６に除湿用熱動弁３７を設けて、その除湿用熱動弁３７を開閉して前記除湿用加熱器１２への熱媒の供給を断続することにより、前記除湿用加熱器１２を加熱作用状態と加熱停止状態とに切り換え自在に構成してある。
【００８０】
この第２実施形態においても、第１実施形態と同様に、前記第１吸込口５ａ、前記第２吸込口５ｃに、夫々、第１フィルタ３８、第２フィルタ３９を設けてある。
【００８１】
この第２実施形態においては、前記第１吸込口５ａを前記外気吸込口１として、前記第１送出口５ｂを前記給気送出口２として夫々用い、前記給気送風機７を前記第１連通開口３４に吸引作用するように前記第１送風機室１９内に設けて、前記給気風路６を、前記第１吸込室２７、前記第１接続室２９及び前記第１送出室３０を備えて構成してある。
そして、前記給気送風機７を作動させることにより、前記外気吸込口１から吸い込んだ外気ＯＡを、第１吸込室２７、調湿体１０、第１接続室２９、顕熱交換器２５の第１熱交換流路、第１送出室３０、第１連通開口３４を順次通過させる形態で、給気風路６を通して通流させて、給気送出口２から供給用空気ＳＡとして送出するように構成してある。
【００８２】
又、前記第２吸込口５ｃを前記内気吸込口３として、前記第２送出口５ｄを前記排気送出口４として夫々用い、前記排気送風機９を前記第２連通開口３５に吸引作用するように前記第２送風機室２０内に設けて、前記排気風路８を、前記第２吸込室３１、前記第２接続室３２及び前記第２送出室２８とを備えて構成してある。
そして、前記排気送風機９を作動させることにより、前記内気吸込口３から吸い込んだ内気ＲＡを、第２吸込室３１、顕熱交換器２５の第２熱交換流路、第２接続室３２、調湿体１０、第２送出室２８、第２連通開口３５を順次通過させる形態で、排気風路８を通して通流させて、排気送出口４から排出用空気ＥＡとして送出するように構成してある。
【００８３】
前記運転制御部１３は、運転モードとして、前記給気送風機７及び前記排気送風機９を作動させ、前記調湿体１０を調湿用設定速度で回転駆動し、前記除湿用加熱器１２を加熱作用状態にする空調運転としての除湿運転を実行する除湿モード、前記給気送風機７及び前記排気送風機９を作動させ、前記調湿体１０を停止させ、前記除湿用加熱器１２を加熱停止状態にする通常換気運転を実行する通常換気モード、及び、前記給気送風機７及び前記排気送風機９を作動停止させ、前記調湿体１０を停止させ、前記除湿用加熱器１２を加熱停止状態にする、すなわち運転停止状態となる運転停止モードを備えるように構成してある。
【００８４】
又、運転制御部１３は、第１実施形態と同様な除臭運転を実行する構成となっている。
すなわち、空調用加熱手段としての除湿用加熱器１２を加熱作用状態にして、排気送風機９を作動させ、且つ、乾燥用設定時間が経過する間だけ前記調湿体１０の回転を停止させる処理と前記調湿体１０における前記排気風路８に位置させる部分のうちの一部が他の部分と入れ替わる形態で前記調湿体１０を設定角度だけ回転させる処理とを繰り返して実行するように電動モータ１１を作動させて、前記調湿体１０に吸収されている水分を前記排出用空気に放出させて除去する除臭運転を実行する構成となっている。
【００８５】
前記操作部１４には、図示を省略するが、第１実施形態と同様に、上述のようにこの空調装置に備えさせてある除湿モード、通常換気モード、運転停止モードを択一的に選択して実行させる運転モード選択スイッチを設けてある。
【００８６】
前記運転制御部１３は、第１実施形態と同様に、空調運転としての前記除湿運転の開始が指令されると、前記除臭運転を実行したのちに前記除湿運転を実行するように構成され、且つ、前記除湿運転の開始が指令されたときに、前回の前記除臭運転の実行を終了してから判別用設定時間以上経過していなければ、前記除臭運転を実行することなく、前記除湿運転を実行する構成となっている。
【００８７】
次に、前記運転制御部１３の制御動作について説明する。
前記運転制御部１３は、図９に示すように、前記操作部１４からの指令情報に基づいて、運転モード選択スイッチにて運転停止モードが指令されると前記運転停止状態にする（ステップ１，２）。すなわち、前記給気送風機７及び前記排気送風機９を作動停止させ、前記調湿体１０を停止させ、前記除湿用加熱器１２を加熱停止状態にする。
【００８８】
運転モード選択スイッチにて通常換気モードが指令されると、前記通常換気運転を実行する（ステップ３，４）。この通常換気運転においては、前記給気送風機７及び前記排気送風機９夫々を作動させ、前記電動モータ１１を停止させて前記調湿体１０の回転を停止させ、前記除湿用熱動弁３７を閉弁して前記除湿用加熱器１２を加熱停止状態にする。
【００８９】
この通常換気モードでは、図８を参照すると、内気吸込口３から排気風路８に吸い込まれた内気ＲＡは、顕熱交換器２５の第２熱交換流路、加熱停止状態の除湿用加熱器１２、回転停止状態の調湿体１０を順次通過して、排気送出口４から排気ダクトを通じて排出用空気ＥＡとして屋外に排出され、一方、給気吸込口１から給気風路６に吸い込まれた外気ＯＡは、回転停止状態の調湿体１０、顕熱交換器２５の第１熱交換流路を順次通過して通流して、給気送出口２から給気ダクトを通じて供給用空気ＳＡとして空調対象室に供給されることになり、空調対象室が換気される。
【００９０】
前記運転モード選択スイッチにて前記除湿モードが指令されると、前記運転停止モード又は前記通常換気モードから除湿モードに切り換わった直後であって、且つ、前回の除臭運転の実行を終了してから判別用設定時間以上経過していることが判別されると、前記除臭運転を実行した後に前記除湿運転を実行し、前回の除臭運転の実行を終了してから判別用設定時間以上経過していなければ、除臭運転を実行せずに前記除湿運転を実行する（ステップ５〜９）。
【００９１】
この除湿運転においては、前記給気送風機７及び前記排気送風機９夫々を作動させ、前記調湿体１０を予め設定した調湿用設定速度にて回転駆動するように前記電動モータ１１を作動させ、前記除湿用熱動弁３７を開弁して前記除湿用加熱器１２を加熱作用状態にする。
この除湿運転では、図８を参照すると、内気吸込口３から排気風路８に吸い込まれた内気ＲＡは、顕熱交換器２５の第２熱交換流路、加熱作用状態の除湿用加熱器１２、前記調湿用設定速度にて回転する調湿体１０を順次通過して、排気送出口４から排気ダクトを通じて排出用空気ＥＡとして屋外に排出され、一方、給気吸込口１から給気風路６に吸い込まれた外気ＯＡは、前記調湿用設定速度にて回転する調湿体１０、顕熱交換器２５の第１熱交換流路を順次通過して通流して、給気送出口２から給気ダクトを通じて供給用空気ＳＡとして空調対象室に供給される。
【００９２】
そして、内気ＲＡは、顕熱交換器２５を通過するときに、外気ＯＡとの熱交換により加熱され、更に、除湿用加熱器１２を通過することで加熱され、そのように加熱された内気ＲＡが調湿体１０を通過するときに調湿体１０から放湿されて加湿された後、排出用空気ＥＡとして屋外に排出され、一方、外気ＯＡは、調湿体１０を通過するときに、その外気ＯＡ中の水蒸気が調湿体１０に吸収されて除湿されると共に凝縮熱により加熱され、そのように除湿並びに加熱された外気ＯＡが顕熱交換器２５を通過するときに内気ＲＡとの熱交換により冷却され、そのように除湿並びに冷却された外気ＯＡが供給用空気ＳＡとして空調対象室に供給されるので、空調対象室が換気されながら除湿される。
【００９３】
この第２実施形態における前記除臭運転は、第１実施形態の図６のステップ３における除臭用加熱器に代えて空調用加熱手段としての前記除湿用加熱器１２を加熱作動状態にする点が異なる他は、第１実施形態と同じであるから説明は省略する。
【００９４】
〔別実施形態〕
次に別実施形態を説明する。
【００９５】
（イ）上記各実施形態では、前記除臭運転において、前記調湿体における前記排気風路に位置させる部分のうちの一部が他の部分と入れ替わる形態で前記調湿体を設定角度だけ回転させる処理として、調湿体を１／３回転（約１２０°）だけ回転させて停止させる構成としたが、このような構成に代えて、１／３回転（約１２０°）よりも小さい角度、例えば１／４回転（約９０°）だけ回転させて停止させる構成としてもよく、１／３回転（約１２０°）よりも大きい角度だけ回転させて停止させる構成としてもよい。但し、１８０°回転させると、仕切り体としての縦桟部２２ｂに対応する領域が再度、縦桟部２２ｂに対応する状態になるので、１８０°又はそれに近い角度を除外した角度にする必要がある。
【００９６】
（ロ）上記各実施形態では、前記除臭運転において、排気送風機だけを作動させ、給気送風機を停止させるようにしたが、排気送風機と給気送風機とを共に作動させるようにしてもよい。
【００９７】
（ハ）上記各実施形態では、いずれかの運転モードが指令されると、前回に除臭運転を実行してから設定時間以上経過していれば、前記除臭運転を実行した後に指令された運転モードに対応する運転を実行し、前回に除臭運転を実行してから設定時間以上経過していなければ、除臭運転を実行せずに、すぐに指令された運転モードに対応する運転を実行する構成としたが、このような構成に代えて、次のように構成してもよい。
【００９８】
例えば、いずれかの運転モードを実行中に、設定インターバル時間が経過する毎に、前記除臭運転を実行するようにしたり、あるいは、前記除臭運転の実行を指令する指令スイッチを設けて、適宜、手動操作にて除臭運転の実行を指令するようにしてもよく、種々の形態で実施することができる。
【００９９】
（ニ）上記各実施形態では、前記運転制御手段が、前記除臭運転において、前記空調運転を実行するときに比べて前記排気送風手段による通風量を少なくする構成としたが、前記空調運転を実行するときと同じ通風量にするものでもよい。
【０１００】
（ホ）上記各実施形態では、加湿運転を実行する加湿タイプの空調装置と、除湿運転を実行する除湿タイプの空調装置とを各別に構成するようにしたが、例えば、給気用風路及び排気用風路を切り換えるようにして、加湿運転と除湿運転とを共通の空調装置によって行えるように構成するものでもよい。
【０１０１】
（ヘ）上記実施形態では、前記熱交換器を静止型の顕熱交換器にて構成したが、一部を給気風路に位置させ且つ他の一部を排気風路に位置させるように配置される顕熱交換ロータ及びその顕熱交換ロータにおける前記給気風路に位置させる部分及び前記排気風路に位置させる部分を回転に伴って変更させるように前記顕熱交換ロータを駆動回転する顕熱交換用電動モータを備えた回転型に構成しても良い。
【０１０２】
（ト）前記除臭用加熱器や前記除湿用加熱器は、熱媒循環式に限定されるものではなく、例えば、電気ヒータでも良い。
【図面の簡単な説明】
【０１０３】
【図１】第１実施形態の空調装置の一部切欠平面図
【図２】第１実施形態の空調装置の一部切欠正面図
【図３】第１実施形態の空調装置の一部切欠側面図
【図４】調湿ロータの斜視図
【図５】制御動作のフローチャート
【図６】制御動作のフローチャート
【図７】調湿体の回転状態を示す図
【図８】第２実施形態の空調装置の一部切欠平面図
【図９】第２実施形態の制御動作のフローチャート
【符号の説明】
【０１０４】
６          給気風路
７          給気送風手段
８          排気風路
９          排気送風手段
１０        調湿体
１１        駆動手段
１２，４０  空調用加熱手段
１３        運転制御手段
４３        除臭用加熱手段
Ｌ          調湿ロータ
【図１】
2008145017.tif 000003
【図２】
2008145017.tif 000004
【図３】
2008145017.tif 000005
【図４】
2008145017.tif 000006
【図５】
2008145017.tif 000007
【図６】
2008145017.tif 000008
【図７】
2008145017.tif 000009
【図８】
2008145017.tif 000010
【図９】
2008145017.tif 000011